(57)【特許請求の範囲】
【請求項１】
内容物を収容可能な収容空間を形成する第１の層と、
前記第１の層の外側に接合される第２の層と、
前記第１の層を貫通する孔とを備え、
前記第２の層は前記収容空間とは反対側に向けて凹む凹部、および、前記凹部内に形成されるゲート跡を含み、
前記凹部は前記収容空間に開口する第１の部分、および、前記第１の部分に繋がり、前記第１の部分よりも外側に形成される第２の部分を含み、
前記１の部分における前記凹部の開口面積は前記第２の部分における前記凹部の開口面積よりも小さい
ケース。
【請求項２】
内容物を収容可能な収容空間と、
前記収容空間を形成する第１の層と、
前記第１の層の外側に接合される接合面、および、前記第１の層に接合されない非接合面を含む第２の層と、
ゲート跡とを備え、
前記第２の層は前記収容空間から外側に凹む凹部を含み、
前記ゲート跡の少なくとも一部は前記凹部に形成され、
前記凹部は前記収容空間に開口する第１の部分、および、前記第１の部分に繋がり、前記第１の部分よりも外側に形成される第２の部分を含み、
前記ゲート跡は前記第２の部分に形成され、
前記凹部の開口面積は前記第２の部分から前記第１の部分に向かうにつれて小さくなる
ケース。
【請求項３】
前記収容空間に収容される内容物をさらに含む
請求項１または２に記載のケース。
【請求項４】
内容物を収容可能な収容空間を形成する第１の層と、
前記第１の層の外側に接合される第２の層と、
前記第１の層を貫通する孔と、
前記収容空間側に位置する前記第２の層の面に形成されるゲート跡とを備えるケースに関する製造方法であって、
前記第１の層を構成する材料を前記収容空間に向けて射出する第１の工程と、
前記第２の層を構成する材料を前記収容空間の外側に向けて射出する第２の工程とを含む
ケースの製造方法。
【請求項５】
前記第１の工程では、前記第１の層における前記第２の層との接合面に対応する位置から材料を射出する
請求項４に記載のケースの製造方法。
【請求項６】
前記第２の工程では、前記第１の層とキャビティとの間の空間から材料を射出する
請求項４または５に記載のケースの製造方法。
【発明の詳細な説明】
【技術分野】
【０００１】
本発明は、内容物を収容可能な収容空間を含むケース、および、このケースの製造方法に関する。
【背景技術】
【０００２】
従来、内容物を収容する様々なケースが知られている。その一例である特許文献１に記載のケースは、ポリプロピレン樹脂を射出成形することにより製造され、ケースの底板の表面には、ゲート跡が形成されている。
【先行技術文献】
【特許文献】
【０００３】
【特許文献１】特開２０１５−３０４７８号公報
【発明の概要】
【発明が解決しようとする課題】
【０００４】
上記ケースは、ゲート跡が底板の表面に露出しているため、例えば搬送されるときにゲート跡がケースと共に搬送される他の物体に接触し、他の物体が傷つくことがある。
本発明の目的は、ゲート跡が他の物体と接触しにくいケース、および、このケースの製造方法を提供することである。
【課題を解決するための手段】
【０００５】
〔１〕本発明に従うケースの一形態は、内容物を収容可能な収容空間と、前記収容空間を形成する第１の層と、前記第１の層の外側に接合されている接合面、および、前記第１の層に接合されていない非接合面を含む第２の層と、前記第１の層の内面、および、前記非接合面の少なくとも一方に形成されているゲート跡とを備える。
【０００６】
上記ケースによれば、ゲート跡がケースの外に露出しないため、例えば、ケースが搬送されるときにケースのゲート跡と他の物体とが接触しにくい。このため、ケースが他の物体を傷つけにくい。
【０００７】
〔２〕前記ケースの一例によれば、前記第１の層の内面、および、前記非接合面の少なくとも一方は、前記収容空間から外側に凹む凹部を含み、前記ゲート跡の少なくとも一部は前記凹部に形成されている。
【０００８】
上記ケースによれば、ゲート跡の少なくとも一部が凹部に形成されているため、ゲート跡が第１の層の内面、および、非接合面から収容空間に突出しにくい。このため、ゲート跡と収容空間に収容されている内容物とが接触しにくく、内容物が傷つきにくい。
【０００９】
〔３〕前記ケースの一例によれば、前記非接合面は前記凹部が形成され、前記凹部の深さの寸法は前記第１の層の厚さの寸法よりも大きい。
上記ケースによれば、非接合面に形成されている凹部の深さの寸法が第１の層の厚さの寸法よりも小さい場合よりも、ゲート跡が収容空間からより離れた位置に存在するため、ゲート跡と内容物とがより接触しにくい。このため、内容物がより傷つきにくい。
【００１０】
〔４〕前記ケースの一例によれば、前記凹部は前記収容空間に開口している第１の部分、および、前記第１の部分と繋がり、前記第１の部分よりも外側に形成されている第２の部分を含み、前記ゲート跡は前記第２の部分に形成され、前記凹部の開口面積は前記第２の部分から前記第１の部分に向かうにつれて小さくなっている。
【００１１】
上記ケースによれば、凹部の開口面積が第２の部分から第１の部分に向かうにつれて大きくなる場合、および、凹部の開口面積が第２の部分と第１の部分とで等しい場合よりも、第２の部分に形成されているゲート跡が視認されにくい。このため、ケースの美観が高められる。
【００１２】
〔５〕前記ケースの一例によれば、上記〔１〕〜〔４〕のいずれかに記載のケースと、前記収容空間に収容された内容物とを含む。
上記ケースによれば、ゲート跡がケースの外に露出しないため、例えば、ケースが搬送されるときにケースのゲート跡と他の物体とが接触しにくい。このため、ケースが他の物体を傷つけにくい。
【００１３】
〔６〕本発明に従うケースの製造方法の一形態は、内容物を収容可能な収容空間と、前記収容空間を形成する第１の層と、前記第１の層の外側に接合されている接合面、および、前記接合面と繋がり、前記第１の層に接合されていない非接合面を含む第２の層と、前記第１の層の内面、および、前記非接合面の少なくとも一方に形成されているゲート跡とを備え、前記第１の層および前記第２の層が射出成形されるケースの製造方法であって、前記第１の層を射出成形する第１の工程と、前記収容空間側から外側に向けて前記第２の層を射出成形する第２の工程とを含む。
【００１４】
上記ケースの製造方法によれば、ゲート跡がケースの外に露出しないケースを製造できる。このため、例えば、ケースが搬送されるときにケースのゲート跡と他の物体とが接触しにくい。このため、ケースが他の物体を傷つけにくい。
【発明の効果】
【００１５】
上記ケース、および、上記ケースの製造方法によれば、ゲート跡が他の物体と接触しにくい。
【図面の簡単な説明】
【００１６】
【図１】実施形態のケースの斜視図。
【図２】図１のＤ２−Ｄ２線に沿う断面図。
【図３】図１のケースの蓋の製造方法の第１の工程を示す断面図。
【図４】図１のケースの蓋の製造方法の第２の工程を示す断面図。
【図５】図４において第２の層が形成された状態を示す断面図。
【図６】図５のキャビティが外されている最中の断面図。
【図７】図６の射出成形機のノズルが外されている最中の断面図。
【図８】その他の実施形態のケースの蓋の断面図。
【発明を実施するための形態】
【００１７】
図１に示されるように、ケース１は内容物３００を支持する容器１０、および、容器１０に組み付けられる蓋２０を備える。内容物３００の一例はヘアワックスである。
容器１０は蓋２０に面する部分に円形状の開口１１を備え、開口１１の周方向に沿って雄ねじ１２が形成されている。容器１０は内容物３００を収容する収容空間１３を形成する第１の層１０Ａ、および、第１の層１０Ａの外側に積層されている第２の層１０Ｂを備える。第１の層１０Ａおよび第２の層１０Ｂは射出成形により形成されている。
【００１８】
第１の層１０Ａは任意の材料により構成することができる。第１の層１０Ａを構成する材料の好ましい一例は合成樹脂である。一例によれば、第１の層１０Ａを構成する材料はポリプロピレンである。なお、第１の層１０Ａを構成する材料の融点は第２の層１０Ｂを構成する材料の融点よりも高いことが好ましい。
【００１９】
第２の層１０Ｂは任意の材料により構成することができる。第２の層１０Ｂを構成する材料の好ましい一例は合成ゴムである。一例によれば、第２の層１０Ｂを構成する材料はブタジエンゴムである。第２の層１０Ｂを合成ゴムにより形成した場合、容器１０の表面が滑りにくく、エンドユーザが容器１０を把持しやすい。
【００２０】
蓋２０は容器１０に面する部分に円形状の開口２１を備え、開口２１の周方向に沿って雌ねじ２２（図２参照）が形成されている。雌ねじ２２と容器１０の雄ねじ１２とが噛み合うことにより、蓋２０の内部の空間である収容空間２３、および、容器１０の収容空間１３が閉鎖される。
【００２１】
図２に示されるように、蓋２０は収容空間２３を形成する第１の層３０、第１の層３０の外側に接合されている部分を含む第２の層４０、第２の層４０に形成されている凹部５０、および、凹部５０に形成されているゲート跡６０を含む。
【００２２】
第１の層３０は任意の材料により構成することができる。第１の層３０を構成する材料の好ましい一例は合成樹脂である。一例によれば、第１の層３０を構成する材料はポリプロピレンである。なお、第１の層３０を構成する材料の融点は第２の層４０を構成する材料の融点よりも高いことが好ましい。第１の層３０の厚さの寸法である第１の厚さ寸法ＸＡは第１の層３０の全体にわたり概ね均一である。第１の層３０のうちの蓋２０の平面視における中央には第１の層３０を貫通する孔３１が形成されている。孔３１の一部には、第２の層４０が形成されている。
【００２３】
第２の層４０は任意の材料により構成することができる。第２の層４０を構成する材料の好ましい一例は合成ゴムである。一例によれば、第２の層４０を構成する材料はブタジエンゴムである。第２の層４０を合成ゴムで形成した場合、蓋２０の表面が滑りにくく、エンドユーザが蓋２０を把持しやすい。第２の層４０は第１の層３０の外側に接合されている接合面４０Ａ、および、接合面４０Ａと繋がり、第１の層３０に接合されていない非接合面４０Ｂを含む。第２の層４０のうちの接合面４０Ａを含む部分の厚さの寸法である第２の厚さ寸法ＸＢは第２の層４０の全体にわたり概ね均一である。第２の厚さ寸法ＸＢは第１の厚さ寸法ＸＡよりも大きい。
【００２４】
凹部５０は第２の層４０の非接合面４０Ｂの一部が収容空間２３から外側に凹んだ部分である。凹部５０は収容空間２３に開口している第１の部分５１、および、第１の部分５１と繋がる第２の部分５２を含む。凹部５０の深さの寸法、すなわち、第１の部分５１の端面から第２の部分５２の端面までの寸法である深さ寸法ＸＣは第１の厚さ寸法ＸＡよりも大きい。凹部５０の開口面積は第２の部分５２から第１の部分５１に向かうにつれて小さくなっている。
【００２５】
第１の部分５１は第１の層３０の孔３１の中央に形成されている。第２の部分５２は第１の部分５１よりも外側に形成され、収容空間２３から外側に向かうにつれて開口面積が大きくなるテーパ形状である。
【００２６】
ゲート跡６０は第２の層４０を射出成形することにより形成された部分であり、凹部５０のうちの第２の部分５２の底面５２Ａに形成されている。
図３〜図７を参照して、蓋２０の製造方法の一例について説明する。
【００２７】
蓋２０の製造方法は第１の層３０を射出成形する第１の工程、および、第２の層４０を射出成形する第２の工程を含む。
図３に示されるように、第１の工程においては、第１の層３０を射出成形するためのコア１１０とキャビティ１２０とが組み合わせられる。コア１１０およびキャビティ１２０は支持台１５０により支持される。
【００２８】
コア１１０およびキャビティ１２０が支持台１５０に支持された後、射出成形機１３０のノズル１４０がキャビティ１２０に挿入され、第１の層３０を構成する材料がコア１１０とキャビティ１２０との間に充填される。コア１１０の中央にはキャビティ１２０に向けて突出する突出部１１１が形成されている。このため、第１の層３０を構成する材料がコア１１０とキャビティ１２０との間に充填されたとき、第１の層３０の中央には孔３１が形成される。第１の層３０を構成する材料が充填され、第１の層３０が硬化した後、第１の層３０はコア１１０およびキャビティ１２０から取り外され、第２の工程が行われる支持台２６０（図４参照）に搬送される。
【００２９】
図４に示されるように、第２の工程においては、第２の層４０を射出成形するためのコア２１０とキャビティ２２０とが組み合わせられる。コア２１０およびキャビティ２２０は支持台２６０により支持される。
【００３０】
コア２１０およびキャビティ２２０が支持台２６０に支持された後、射出成形機２３０のシリンダー２４０が連結されたノズル２５０が収容空間２３側から第１の層３０の孔３１に挿入される。
【００３１】
ノズル２５０は蓋２０の平面視において蓋２０の径方向に延びる先端部分２５１を含む。先端部分２５１の下面２５１Ａは外側に向かうにつれて広がるテーパ形状である。このため、先端部分２５１は内側に向かうにつれて括れた形状である。
【００３２】
蓋２０の径方向における先端部分２５１の寸法であるノズル寸法ＬＡは蓋２０の径方向における第１の層３０の孔３１の寸法である孔寸法ＬＢよりも小さい。このため、ノズル２５０を孔３１に挿入するとき、ノズル２５０と孔３１とは接触しない。ノズル２５０が孔３１に挿入された後、第２の層４０を構成する材料がコア２１０とキャビティ２２０との間に充填される。
【００３３】
図５に示されるように、ノズル２５０から第２の層４０を構成する材料がコア２１０とキャビティ２２０との間に充填されることにより、第２の層４０が第１の層３０の外側、および、第１の層３０の孔３１の内部に形成される。
【００３４】
図６に示されるように、第２の層４０を構成する材料が充填された後、キャビティ２２０が上方に引き抜かれる。キャビティ２２０が上方に引き抜かれるとき、第２の層４０の一部がキャビティ２２０に接着した状態で硬化していた場合、第２の層４０、および、第２の層４０と接合している第１の層３０がキャビティ２２０とともに移動しようとする。
【００３５】
第２の層４０がキャビティ２２０に接着した状態でキャビティ２２０とともに移動するとき、第２の層４０のうちの先端部分２５１の下面２５１Ａと接触している部分である接触部分４０Ｘの上方への移動が先端部分２５１の下面２５１Ａにより規制される。これにより、第２の層４０の上方への移動が規制されるため、キャビティ２２０と第２の層４０および第１の層３０とが適切に分離される。
【００３６】
図７に示されるように、キャビティ２２０が引き抜かれた後にコア２１０および射出成形機２３０のノズル２５０が第２の層４０から引き抜かれる。ノズル２５０の先端部分２５１の下面２５１Ａは外側に向かうにつれて広がるテーパ形状を含むため、ノズル２５０の下方への移動がスムーズになり、ノズル２５０が適切に第２の層４０から引き抜かれる。なお、上述した第１の工程および第２の工程を含む蓋２０の製造方法は、容器１０の製造方法にも適用することができる。
【００３７】
図１および図２を参照して、ケース１の作用および効果について説明する。
ケース１は製造された後、他の物体の一例である他のケースと共に箱に詰められて搬送される。ケース１はゲート跡６０がケース１の外に露出していないため、ケース１が搬送されるときにケース１のゲート跡６０と他のケースとが接触しにくい。このため、ケース１が他のケースを傷つけにくい。
【００３８】
ケース１によれば、さらに以下の効果が得られる。
（１）ケース１はゲート跡６０がケース１の外に露出していないため、エンドユーザによりゲート跡６０が視認されにくい。このため、ケース１の美観が高められる。
【００３９】
（２）ケース１はゲート跡６０の全体が凹部５０の中に存在するため、ゲート跡６０の一部が凹部５０から突出している場合よりも、ゲート跡６０と収容空間２３に収容されている内容物３００とが接触しにくい。このため、内容物３００がより傷つきにくい。
【００４０】
（３）ケース１は深さ寸法ＸＣが第１の厚さ寸法ＸＡよりも大きい。このため、深さ寸法ＸＣが第１の厚さ寸法ＸＡよりも小さい場合、および、深さ寸法ＸＣと第１の厚さ寸法ＸＡとが等しい場合よりも、ゲート跡６０が収容空間２３からより離れた位置に存在する。このため、ゲート跡６０と内容物３００とがより接触しにくく、内容物３００がより傷つきにくい。
【００４１】
（４）凹部５０の開口面積が第２の部分５２から第１の部分５１に向かうにつれて小さくなっているため、第２の部分５２に形成されているゲート跡６０が視認されにくい。このため、ケース１の美観が高められる。
【００４２】
上記実施形態に関する説明は、本発明に従うケースおよびケースの製造方法が取り得る形態の例示であり、その形態を制限することを意図していない。本発明に従うケースおよびケースの製造方法は、例えば以下に示される上記実施形態の変形例、および、相互に矛盾しない少なくとも２つの変形例が組み合わせられた形態を取り得る。
【００４３】
・変形例のケース１によれば、図８に示されるように、第１の層３０の内面３０Ａにゲート跡６０が形成される。また、この変形例のケース１によれば、第２の層４０の非接合面４０Ｂにゲート跡６０が形成される。すなわち、この変形例のケース１は凹部５０が形成されない。この変形例のケース１は例えば、第１の工程において収容空間２３側から第１の層３０を構成する材料が充填されることにより第１の層３０が射出成形される。また、第２の工程において、収容空間２３側から孔３１を介して第２の層４０を構成する材料が充填されることにより第２の層４０が射出形成される。
【００４４】
・変形例のケース１によれば、凹部５０に合成樹脂等が充填されている。
・変形例のケース１によれば、第２の層４０の非接合面４０Ｂが第１の層３０の内面３０Ａよりも収容空間２３側に突出する、または、第２の層４０の非接合面４０Ｂが第１の層３０の内面３０Ａよりも外側に位置する。
【００４５】
・変形例のケース１によれば、蓋２０の第１の厚さ寸法ＸＡ、および、第２の厚さ寸法ＸＢの少なくとも一方が蓋２０の位置により異なる。
・変形例のケース１は、ヘアワックス以外の内容物３００を収容する。ヘアワックス以外の内容物３００の一例は、リップクリームまたは化粧品である。
【符号の説明】
【００４６】
１    ：ケース
２３  ：収容空間
３０  ：第１の層
３０Ａ：内面
４０  ：第２の層
４０Ａ：接合面
４０Ｂ：非接合面
５０  ：凹部
５１  ：第１の部分
５２  ：第２の部分
６０  ：ゲート跡
３００：内容物
【図１】
0006801174.tif 000002
【図２】
0006801174.tif 000003
【図３】
0006801174.tif 000004
【図４】
0006801174.tif 000005
【図５】
0006801174.tif 000006
【図６】
0006801174.tif 000007
【図７】
0006801174.tif 000008
【図８】
0006801174.tif 000009